(57)【特許請求の範囲】
【請求項１】
枠体(1)の対向する縦枠(2)の間に、パンチングメタルから成る外パネル(4)と、その内側に保持された透光拡散性を有する樹脂製の内パネル(5)とを、複数本の主採光目隠帯(6)を形成するように上下方向に間隔をあけて渡すと共に、上下に隣り合う主採光目隠帯(6)の間に挟まれるように、透光拡散性を有する樹脂製の副採光目隠帯(7)を渡し、主採光目隠帯(6)と副採光目隠帯(7)の間に隙間を形成し、主採光目隠帯(6)と副採光目隠帯(7)とをオーバーラップさせ、
前記主採光目隠帯(6)は、外パネル(4)の上下縁部に屋内側となる方向への折り曲げにより形成された係止溝(4a)に、内パネル(5)の屋外側へ向く面に形成されたＬ字状断面の２本の係止突条(5a)を挿し込んで、外パネル(4)と内パネル(5)とを一体化したものとし、
前記主採光目隠帯(6)及び副採光目隠帯(7)の端部は、前記縦枠(2)の突入溝(2a)に嵌め込み、主採光目隠帯(6)と副採光目隠帯(7)とを所定の間隔に保持し、
前記枠体(1)の上部及び下部に、網戸の上下の横枠に引っ掛けるための取付フック(9)を設けた目隠しルーバー。
【請求項２】
前記取付フック(9)は、枠体(1)に沿うベース部(9a)の先端に鉤先部(9b)を連設した形状とし、ベース部(9a)に上下方向に延びる長穴(9c)を形成し、枠体(1)にガイド軸(11)を設け、取付フック(9)の長穴(9c)にガイド軸(11)を挿通して抜け止めし、取付フック(9)を枠体(1)に対して上下方向にスライド可能とし、任意の位置で固定できるようにしたことを特徴とする請求項１に記載の目隠しルーバー。
【発明の詳細な説明】
【技術分野】
【０００１】
この発明は、窓の目隠し用として、網戸に取り付ける目隠しルーバーに関する。
【背景技術】
【０００２】
本出願人は、下記特許文献１において、方形状の枠体の対向一対の縦枠間に、枠体に組み込んだストリンガーで支持されるように、パンチングメタルから成る複数の外パネルを上下方向に等間隔に渡すと共に、上下に隣り合う外パネル間に挟まれるように透光拡散性樹脂板から成る化粧パネルを渡し、複数の外パネルの背部側に間隔をあけて透光拡散性樹脂板から成る内パネルを設けた目隠しルーバーを提案している。
【０００３】
この目隠しルーバーは、窓の面格子に結束バンドを用いてストリンガーを結わえ付けることにより取り付ける。
【０００４】
このような目隠しルーバーを窓に取り付けると、外パネルの穴から入射する光が内パネルにより拡散し、化粧パネルへの入射光も拡散して、屋内側に光が採り込まれ、外パネルの穴及び外パネルと化粧パネルの隙間から入り込んだ風が、化粧パネルと内パネルの対向部間に形成された隙間から屋内側に採り込まれる。
【先行技術文献】
【特許文献】
【０００５】
【特許文献１】特開２０１１−６８５４号公報
【発明の概要】
【発明が解決しようとする課題】
【０００６】
しかしながら、通常、住宅の２階以上の上層階の窓には、面格子がほとんど設けられておらず、上記のような目隠しルーバーでは、このような面格子のない窓への取り付けが難しいという問題がある。
【０００７】
また、窓全体に及ぶ面格子に上記のような目隠しルーバーを取り付けると、外の景色や状況を必要に応じて見ることができなくなるという問題もある。
【０００８】
そこで、この発明は、面格子のない窓へも容易に取り付けられ、必要に応じて外の景色や状況を視認できる目隠しルーバーを提供することを課題とする。
【課題を解決するための手段】
【０００９】
上記のような課題を解決するため、この発明に係る目隠しルーバーでは、枠体の対向する縦枠の間に、パンチングメタルから成る外パネルと、その内側に保持された透光拡散性を有する樹脂製の内パネルとを、複数本の主採光目隠帯を形成するように上下方向に間隔をあけて渡すと共に、上下に隣り合う主採光目隠帯の間に挟まれるように、透光拡散性を有する樹脂製の副採光目隠帯を渡し、主採光目隠帯と副採光目隠帯の間に隙間を形成し、主採光目隠帯と副採光目隠帯とをオーバーラップさせ、枠体の上部及び下部に、網戸の上下の横枠に引っ掛けるための取付フックを設けたのである。
【００１０】
また、前記取付フックは、枠体に沿うベース部の先端に鉤先部を連設した形状とし、ベース部に上下方向に延びる長穴を形成し、枠体にガイド軸を設け、取付フックの長穴にガイド軸を挿通して抜け止めし、取付フックを枠体に対して上下方向にスライド可能とし、任意の位置で固定できるようにしたのである。
【発明の効果】
【００１１】
この発明に係る目隠しルーバーは、枠体に取付フックを備えた薄型軽量のものであることから、網戸を有する窓であれば、面格子がなくても、取付フックを網戸の上下の横枠に引っ掛けて容易に取り付けることができる。
【００１２】
そして、網戸に取り付けると、通風性を確保しつつ、昼夜を問わず視線を遮ることができ、昼間に暗くならない程度に直射日光を遮ることもできる。
【００１３】
また、網戸と一体に開閉できることから、開いた状態では、外の景色や状況をはっきりと視認することができ、雨天時に閉じると、雨の吹込みを軽減できる。
【図面の簡単な説明】
【００１４】
【図１】この発明の実施形態に係る目隠しルーバーの網戸への取付状態を示す斜視図
【図２】同上の取付過程を示す斜視図
【図３】同上の目隠しルーバーの正面図
【図４】同上のコーナー部分の拡大分解斜視図
【図５】同上の一部切欠拡大正面図
【図６】図５のVI−VI断面図
【図７】図５のVII−VII断面図
【発明を実施するための形態】
【００１５】
以下、この発明の実施形態を添付図面に基づいて説明する。
【００１６】
図１及び図２に示すように、この目隠しルーバーＬは、窓Ｗの網戸Ｓに取り付けるものである。図３及び図４に示すように、目隠しルーバーＬの方形状の枠体１は、左右一対の縦枠２と上下一対の横枠３とを組み合わせたものであり、縦枠２の側部には突入溝２ａが形成され、突入溝２ａに横枠３の端部が嵌め込まれて、縦枠２と横枠３とが接合されている。横枠３には、上下方向に延びるフランジ３ａが形成されている。
【００１７】
左右の縦枠２の間には、パンチングメタルから成る外パネル４と、その内側に保持された透光拡散性を有する樹脂製の内パネル５とが複数本の主採光目隠帯６を形成するように上下方向に間隔をあけて渡され、また、上下に隣り合う主採光目隠帯６の間及び横枠３と主採光目隠帯６の間に、透光拡散性を有する樹脂製の副採光目隠帯７が渡されている。
【００１８】
外パネル４は、千鳥状に配置された多数の採光用の穴を有し、上下の縁部に、屋内側となる方向への折り曲げにより、係止溝４ａが形成されたものとされている。
【００１９】
内パネル５と副採光目隠帯７とは、透光性の樹脂を板状に成形し、表面にシボ加工やローレット加工、研磨加工等による光拡散処理を施したものである。内パネル５の屋外側へ向く面には、Ｌ字状断面の係止突条５ａが２本形成され、副採光目隠帯７の屋内側へ向く面には、山形断面となる形状に迫り出した通風ガイド突条７ａが形成されている。
【００２０】
図５及び図６に示すように、内パネル５の係止突条５ａは、屈曲部より先端側の部分が外パネル４の係止溝４ａに挿し込まれ、これにより、外パネル４と内パネル５とが一体化されて、主採光目隠帯６が組み立てられている。
【００２１】
主採光目隠帯６及び副採光目隠帯７の端部は、縦枠２の突入溝２ａに嵌め込まれ、突入溝２ａの内部において、主採光目隠帯６と副採光目隠帯７の間には、押えゴム８が嵌められて、主採光目隠帯６と副採光目隠帯７は、所定の間隔に保持されている。
【００２２】
図７に示すように、主採光目隠帯６において、内パネル５は外パネル４よりも上下方向に張り出し、縦枠２の部分を除き、主採光目隠帯６と副採光目隠帯７の間には隙間が形成されているが、内パネル５の外パネル４から上下方向へ張り出した部分と副採光目隠帯７とは、屋外側及び屋内側から隙間が見えないようにオーバーラップしている。
【００２３】
また、図３に示すように、枠体１の上下の横枠３には、後述のように、網戸Ｓの上下の横枠２３に引っ掛けるための取付フック９が設けられている。取付フック９は、図４に示すように、横枠３の屋内側へ向く面に沿うベース部９ａの先端に鉤先部９ｂを連設した形状とされ、ベース部９ａには、上下方向に延びる長穴９ｃが形成されている。
【００２４】
そして、取付フック９の長穴９ｃ及び横枠３のフランジ３ａに形成された貫通穴３ｂには、頭部付きの短いビスであるガイド軸１１が屋内側となる方向から挿通され、図７に示すように、横枠３の屋外側となる方向から手回し可能な円筒状のナット１２をガイド軸１１にねじ込んで、ガイド軸１１は抜け止めされている。
【００２５】
これにより、図３に示すように、取付フック９は、枠体１に対して、ナット１２を緩めた状態で上下方向にスライド可能とされ、ナット１２を締め付けると、任意の位置で固定することができる。
【００２６】
次に、上記のような目隠しルーバーＬを、図１及び図２に示すように、引違式の窓Ｗの網戸Ｓに取り付ける手順を例示する。網戸Ｓは、方形状の枠体２１を、左右一対の縦枠２２と上下一対の横枠２３とを組み合わせて形成し、枠体２１の内側に網２４を張設したものであり、窓Ｗのサッシのレールに沿って開閉できるようになっている。
【００２７】
網戸Ｓへの目隠しルーバーＬの取り付けに際しては、目隠しルーバーＬの上方の横枠３に設けられた取付フック９を、枠体１に対し予め適度な上下方向の位置に固定しておき、下方の横枠３に設けられた取付フック９は、ナット１２を緩めて、枠体１に対し下方へ下がった状態としておく。
【００２８】
そして、上方の横枠３に設けられた取付フック９を、網戸Ｓの上方の横枠２３に引っ掛け、目隠しルーバーＬを網戸Ｓの屋外側の面に被せて、目隠しルーバーＬの下方の横枠３に設けられた取付フック９を押し上げ、網戸Ｓの下方の横枠２３に引っ掛けた状態で、ナット１２を締め付けて、下方の取付フック９を枠体１に固定する。
【００２９】
このように、上記目隠しルーバーＬは、枠体１に取付フック９を備え、薄型で軽量な構造となっていることから、網戸Ｓを有する窓Ｗであれば、面格子がなくても、取付フック９を網戸Ｓの上下の横枠２３に引っ掛けて容易に取り付けることができる。
【００３０】
そして、網戸Ｓに取り付けると、屋内外の光は、主採光目隠帯６の部分で外パネル４の穴を通過するが、内パネル５によって拡散されて透過し、副採光目隠帯７の部分でも拡散されて透過するので、昼夜を問わず視線を遮ることができ、昼間に暗くならない程度に直射日光を遮ることもできる。
【００３１】
また、夜間においては、窓Ｗの目隠しルーバーＬに覆われない片側部分のみカーテン２５を閉めれば、プライバシーを確保することができる。
【００３２】
また、主採光目隠帯６と副採光目隠帯７の間には隙間が形成されているので、通風性も確保され、この隙間の部分では、内パネル５と副採光目隠帯７とがオーバーラップしているので、隙間から屋内側の様子が見えることもない。
【００３３】
さらに、窓Ｗが引違式であれば、網戸Ｓと一体に開閉できることから、目隠しルーバーＬを網戸Ｓと共に開くと、外の景色や状況をはっきりと視認することができ、天候等を確認できるほか、雨天時に閉じると、窓Ｗを開けていても、雨の吹込みを軽減でき、蒸し暑い梅雨の時期等における快適性を向上させることができる。
【００３４】
なお、図１及び図２では、目隠しルーバーＬを引違式の窓Ｗの網戸Ｓに取り付ける場合について例示したが、目隠しルーバーＬは、上げ下げ式の窓や、内倒し式の窓等の網戸に取り付けることもできる。
【００３５】
また、上記実施形態では、内パネル５の外パネル４から上下方向へ張り出した部分と副採光目隠帯７とがオーバーラップしたものを例示したが、主採光目隠帯６において、外パネル４が内パネル５から上下方向へ張り出すようにし、副採光目隠帯７は、通風ガイド突条７ａが屋外側となる方向へ向け、外パネル４の内パネル５からの上下方向への張出部分と副採光目隠帯７とがオーバーラップするようにしてもよい。
【符号の説明】
【００３６】
１  枠体
２  縦枠
２ａ  突入溝
３  横枠
３ａ  フランジ
３ｂ  貫通穴
４  外パネル
４ａ  係止溝
５  内パネル
５ａ  係止突条
６  主採光目隠帯
７  副採光目隠帯
７ａ  通風ガイド突条
８  押えゴム
９  取付フック
９ａ  ベース部
９ｂ  鉤先部
９ｃ  長穴
１１  ガイド軸
１２  ナット
２１  枠体
２２  縦枠
２３  横枠
２４  網
２５  カーテン
Ｌ  目隠しルーバー
Ｓ  網戸
Ｗ  窓
【図１】
0006498532.tif 000002
【図２】
0006498532.tif 000003
【図３】
0006498532.tif 000004
【図４】
0006498532.tif 000005
【図５】
0006498532.tif 000006
【図６】
0006498532.tif 000007
【図７】
0006498532.tif 000008